(57)【特許請求の範囲】
【請求項１】
バスケット本体（３）と、このバスケット本体（３）の前面に装着されたライトユニット（４）と、このライトユニット（４）の左右側方でバスケット本体（３）に装着されかつライトユニット（４）側からの光で光輝する導光体（５）とを有しており、
前記バスケット本体（３）には、前面にライトユニット（４）を埋め込む凹部を形成した主収納部（３Ａ）と、この主収納部（３Ａ）に連通しかつ主収納部（３Ａ）から左右に延びていて導光体（５）を埋め込む凹部を形成した副収納部（３Ｂ）とが形成され、主収納部（３Ａ）と左右各副収納部（３Ｂ）との境界部に、バスケット本体（３）内部と連通して導光体（５）の端部（５ａ）を露出する開口（９）が形成されていることを特徴とするライト付きバスケット。
【請求項２】
前記ライトユニット（４）は、略半球形状のケース（４ａ）とその前面のレンズとを有し、前記ケース（４ａ）の内部に前方照射用光源（６）と左右側方照射用光源（７）とを有し、前記左右側方照射用光源（７）は左右導光体（５）の端部に対向していることを特徴とする請求項１に記載のライト付きバスケット。
【請求項３】
前記ライトユニット（４）は左右側方照射用光源（７）に対向する左右軸孔（８）を有し、前記左右導光体（５）の端部（５ａ）を軸形状に形成しており、前記左右各導光体（５）の軸形状端部（５ａ）をライトユニット（４）の軸孔（８）に挿入して、ライトユニット（４）を左右軸形状端部（５ａ）廻りに照射角度調整可能に支持していることを特徴とする請求項２に記載のライト付きバスケット。
【請求項４】
前記バスケット本体（３）は下部の前面、左右側面及び背面を覆う下周囲壁（１１）を有し、この下周囲壁（１１）の前面に主収納部（３Ａ）が形成され、この主収納部（３Ａ）に連通して下周囲壁（１１）の前面から左右側面に至る左右の副収納部（３Ｂ）が横一直線状に形成されており、
前記左右各導光体（５）は、下周囲壁（１１）の前面から左右側面に至る平面視略Ｌ字形状に形成され、バスケット本体（３）内部側の背面には光反射凹凸面（５ｂ）が形成されていることを特徴とする請求項１〜３のいずれか１項に記載のライト付きバスケット。
【発明の詳細な説明】
【技術分野】
【０００１】
本発明は、２輪車等の車両に装着されるライト付きバスケットに関する。
【背景技術】
【０００２】
特許文献１に開示された自転車用ランプ付き荷篭は、自転車用荷篭の前面にゴム等の弾性体を素材として正面形状が二等辺三角形状のランプケースを埋設し、このランプケース内に設けたレンズ部材の下端をランプケースに枢支すると共に、レンズ部材の上端をランプケースに対して出し入れ調整自在にし、このレンズ部材の内側に反射板および電球を取り付けている（実用新案登録請求の範囲）。
【先行技術文献】
【特許文献】
【０００３】
【特許文献１】実公平３−１１１０９号公報
【発明の概要】
【発明が解決しようとする課題】
【０００４】
前記従来技術は、荷篭（バスケット）の前面にランプケースを埋設しているので、ランプケースを最適位置に装着できかつ荷篭に妨害されることなく自転車の前方を照射することができるが、ライトだけでは、バスケットの存在を明らかにする、即ち、自転車が運転されていることを周囲の人に視認させるには不十分であった。
本発明は、このような従来技術の問題点を解決できるようにしたライト付きバスケットを提供することを目的とする。
【０００５】
本発明は、ライトユニットの左右側方に導光体を設けることにより、ライトユニットだけでなくその左右側方でもバスケットが光輝できるようにしたライト付きバスケットを提供することを目的とする。
【課題を解決するための手段】
【０００６】
本発明における課題解決のための具体的手段は、次の通りである。
第１に、バスケット本体３と、このバスケット本体３の前面に装着されたライトユニット４と、このライトユニット４の左右側方でバスケット本体３に装着されかつライトユニット４側からの光で光輝する導光体５とを有しており、
前記バスケット本体３には、前面にライトユニット４を埋め込む凹部を形成した主収納部３Ａと、この主収納部３Ａに連通しかつ主収納部３Ａから左右に延びていて導光体５を埋め込む凹部を形成した副収納部３Ｂとが形成され、主収納部３Ａと左右各副収納部３Ｂとの境界部に、バスケット本体３内部と連通して導光体５の端部５ａを露出する開口９が形成されていることを特徴とする。
【０００７】
第２に、前記ライトユニット４は、略半球形状のケース４ａとその前面のレンズとを有し、前記ケース４ａの内部に前方照射用光源６と左右側方照射用光源７とを有し、前記左右側方照射用光源７は左右導光体５の端部に対向していることを特徴とする。
第３に、前記ライトユニット４は左右側方照射用光源７に対向する左右軸孔８を有し、前記左右導光体５の端部５ａを軸形状に形成しており、前記左右各導光体５の軸形状端部５ａをライトユニット４の軸孔８に挿入して、ライトユニット４を左右軸形状端部５ａ廻りに照射角度調整可能に支持していることを特徴とする。
【０００８】
第４に、前記バスケット本体３は下部の前面、左右側面及び背面を覆う下周囲壁１１を有し、この下周囲壁１１の前面に主収納部３Ａが形成され、この主収納部３Ａに連通して下周囲壁１１の前面から左右側面に至る左右の副収納部３Ｂが横一直線状に形成されており、
前記左右各導光体５は、下周囲壁１１の前面から左右側面に至る平面視略Ｌ字形状に形成され、バスケット本体３内部側の背面には光反射凹凸面５ｂが形成されていることを特徴とする。
【発明の効果】
【０００９】
本発明によれば、ライトユニットだけでなくその左右側方でも導光体が光輝でき、バスケット自体を照明することができる。
即ち、請求項１に係る発明は、バスケット本体３の前面のライトユニット４の左右側方にライトユニット４側からの光で光輝する導光体５を有するので、ライトユニット４の左右側方でもバスケット自体を照明することができる。また、バスケット本体３には、主収納部３Ａに連通しかつ導光体（５）を埋め込む副収納部（３Ｂ）を形成するとともに、主収納部３Ａと副収納部３Ｂとの境界部に開口９を形成しているので、導光体５を埋め込んで保護しておけるだけでなく、導光体５への入光でバスケット本体３内部も照らすことができる。
【００１０】
請求項２に係る発明は、略半球形状のケース４ａの内部に前方照射用光源６と併設された左右側方照射用光源７が、それぞれ専属的に左右導光体５にその端部から入光して光輝させることができる。
請求項３に係る発明は、左右導光体５の入光される軸形状端部５ａでライトユニット４を左右軸廻りに照射角度調整可能に支持することができ、また、ライトユニット４の照射角度を変更しても、左右側方照射用光源７から左右導光体５の端部５ａへの光照射を確保できる。
【００１１】
請求項４に係る発明は、バスケット本体３は下部に下周囲壁１１を有し、この下周囲壁１１の前面に主収納部３Ａが、前面から左右側面に至る左右の副収納部３Ｂがそれぞれ形成され、左右導光体５が下周囲壁１１の前面から左右側面に至る平面視略Ｌ字形状に形成されているので、左右導光体５を立体的に形成して取り付けておくことができ、かつバスケット本体３に対する保持もでき、しかも、バスケット本体３の前面から左右側面まで光減衰を抑制しながら広い範囲で光輝させることができる。
【図面の簡単な説明】
【００１２】
【図１Ａ】本発明の実施形態のバスケットを示す正面図である。
【図１Ｂ】本発明の実施形態のバスケットを示す正面図である。
【図２Ａ】同バスケットの平面図である。
【図２Ｂ】同バスケットの平面図である。
【図３Ａ】同バスケットの左側面図である。
【図３Ｂ】同バスケットの左側面図である。
【図４Ａ】同バスケットの背面図である。
【図４Ｂ】同バスケットの背面図である。
【図５Ａ】同バスケットの底面図である。
【図５Ｂ】同バスケットの底面図である。
【図６Ａ】同バスケットの斜視図である。
【図６Ｂ】同バスケットの斜視図である。
【図７】同バスケットの正面説明図である。
【図８】図７のＸ−Ｘ線断面図である。
【図９】図７のＹ−Ｙ線断面図である。
【図１０】同バスケットの右側面説明図である。
【発明を実施するための形態】
【００１３】
以下、本発明の実施の形態を図面に基づいて説明する。
図１〜１０において、自転車等の車輛の前部に装着されるライト付きバスケット１を示している。このライト付きバスケット１は荷篭としてのバスケット本体３と、このバスケット本体３の前面に埋め込み装着されたライトユニット４と、このライトユニット４の左右側方でバスケット本体３に埋め込み装着されかつライトユニット４側からの光を光輝する導光体５とを有している。
【００１４】
バスケット本体３は四角枠形状で、上枠３ａ、下枠３ｂ、中間枠３ｃを周囲方向多数本の縦部材３ｄで連結し、下枠３ｂの下部に下周囲壁１１を設け、下周囲壁１１の下部内に底部材１２を配置しており、これらを合成樹脂で一体成形し、上部を荷物を出し入れする開口としている。
図１〜７、１０において、バスケット本体３の底部材１２は、自転車の前輪フォークに装着された下ステー１３に載置可能であり、下ステー１３に締結具を介して締結される下取付け部１２ａが形成され、背壁部１４は自転車のハンドルに装着された上ステー１５に連結可能であり、上ステー１５に締結具を介して締結される上取付け部１４ａが形成されている。
【００１５】
バスケット本体３の下周囲壁１１は、バスケット本体３の下部の前面、左右側面及び背面を覆っており、前面の中央にはライトユニット４を埋め込む凹部を形成した主収納部３Ａが形成され、前面と左右側面とには導光体５を埋め込む凹部を形成した副収納部３Ｂが横一直線状に形成されており、主収納部３Ａと左右副収納部３Ｂとは互いに凹部が連通している。
【００１６】
前記主収納部３Ａは前面側が凹部となる略半球形状であり、上部に上下方向に長い長孔１７が形成され、下部は下周囲壁１１（又は底部材１２）と一体になっており、左右側部は左右各副収納部３Ｂとの境界部に開口９が形成されている。
副収納部３Ｂは四角溝（凹部）を形成する断面コ字形状であり、下周囲壁１１の前面から左右側面に至る平面視略Ｌ字形状であり、側面側の後端はバスケット本体３の内方に解放されている。
【００１７】
前記ライトユニット４は略半球形状のケース４ａと前面のレンズとを有し、ケース内部にＬＥＤライトの前方照射用光源６と同じくＬＥＤライトの左右側方照射用光源７とを有している。
前記ケース４ａの後下部には光源６、７と電源２０と接続するためのリード線２１が接続されている。電源２０は電動自転車のバッテリ、電池又はハブダイナモ等であり、ケース４ａ内には、オン・オフスイッチ、明暗感知センサ及び自動点灯スイッチ等も内蔵されている。
【００１８】
ケース４ａの後上部には止め具２２が螺合する雌ネジ２３が形成されている。前記止め具２２は主収納部３Ａの長孔１７を貫通しており、長孔１７の範囲内でライトユニット４を照射角度調整可能にし、かつ調整後に雌ネジ２３に螺合することにより、その頭部でライトユニット４を主収納部３Ａに固定する。
また、ライトユニット４のケース４ａの左右側部には同心軸上でかつ貫通した左右軸孔８が形成されており、この軸孔８は左右各側方照射用光源７と対向している。
【００１９】
前記左右導光体５は剛性、透明性を有するアクリル樹脂等により断面角形状でかつ平面視略Ｌ字形状に形成されており、各導光体５のライトユニット４側の端部は軸形状に形成されており、この軸形状端部５ａはケース４ａの軸孔８に挿入され、ライトユニット４を左右軸廻りに回動可能、即ち、照射角度調整可能に支持している。
左右各導光体５の軸形状端部５ａはライトユニット４の軸孔８に挿入されることにより、左右各側方照射用光源７と対向することになり、光源７の光は導光体５の内部に伝播されることになる。
【００２０】
また、軸形状端部５ａは左右各副収納部３Ｂとの境界部の開口９に対向しており、この開口９がバスケット本体３内部と連通しているので、端部５ａはバスケット本体３内部を露出する。よって光源７の光は導光体５の端部５ａを光輝し、開口９を介してバスケット本体３内部を照らすことになる。
前記左右導光体５は、図９に示すように、バスケット本体３内部側の背面には鋸歯形状の光反射凹凸面５ｂが形成されている。この凹凸面５ｂにより端部５ａから入った光源７の光を乱反射して、後端までの略全長にわたって導光体５の表面を光輝する。
【００２１】
前記光反射凹凸面５ｂは導光体５の略全長に形成されているが、全長の内のバスケット本体３の側面側だけ、又は部分的、間欠位置に形成してもよく、その凹凸も山形、角錐形等の光の反射角度を変えることのできる形状であればよい。
図９において、左右各導光体５の後端は、副収納部３Ｂの後端に係合する係合部５ｃが形成され、下周囲壁１１の孔と係合する係止体２５をあてがうことにより係合離脱が阻止されており、これらはバスケット本体３の内面に取付けられるカバー２６で被覆されている。
【００２２】
なお、本発明は前記実施形態における各部材の形状及びそれぞれの前後・左右・上下の位置関係は、図１〜１０に示すように構成することが最良である。しかし、前記実施形態に限定されるものではなく、部材、構成を種々変形したり、組み合わせを変更したりすることもできる。
例えば、ライトユニット４は前方照射用光源６をケース４ａ内に配置し左右側方照射用光源７をケース４ａ外に配置したり、１個の前方照射用光源６で左右導光体５も光輝させたりしてもよい。また、光源６、７はＬＥＤライトの代わりに電球でもよく、点滅可能にしたり、左右側方照射用光源７を前方照射用光源６と異なる色にしたりしてもよい。
【００２３】
左右導光体５は、バスケット本体３の前面側だけに設けたり、側面側だけで光輝させたり、上下複数本のラインに形成したりしてもよい。また、導光体５をバスケット本体（３）に貼り付けたり、広い面積を有するデザインにしたりしてもよい。
バスケット本体３は、合成樹脂で一体成形する代わりに、金属で一体成形したり、各部を別個に成形して組み合わせたりしてもよく、また、それ自体を車輪付きキャリアバッグ構造にして、自転車、自動２輪車等に着脱自在にしてもよい。
【００２４】
主収納部３Ａの左右側部に環状の軸部を設けて、ライトユニット４の軸孔８を照射角度調整可能に支持してもよい。
【符号の説明】
【００２５】
１        ライト付きバスケット
３        バスケット本体
３Ａ      主収納部
３Ｂ      副収納部
４        ライトユニット
４ａ      ケース
５        導光体
５ａ      軸形状端部
５ｂ      光反射凹凸面
５ｃ      係合部
６        前方照射用光源
７        側方照射用光源
８        軸孔
９        開口
１１      下周囲壁
１２      底部材
１２ａ    下取付け部
１４      背壁部
１４ａ    上取付け部
１７      長孔
２０      電源
２１      リード線
【図１Ａ】
0006767074.tif 000002
【図１Ｂ】
0006767074.tif 000003
【図２Ａ】
0006767074.tif 000004
【図２Ｂ】
0006767074.tif 000005
【図３Ａ】
0006767074.tif 000006
【図３Ｂ】
0006767074.tif 000007
【図４Ａ】
0006767074.tif 000008
【図４Ｂ】
0006767074.tif 000009
【図５Ａ】
0006767074.tif 000010
【図５Ｂ】
0006767074.tif 000011
【図６Ａ】
0006767074.tif 000012
【図６Ｂ】
0006767074.tif 000013
【図７】
0006767074.tif 000014
【図８】
0006767074.tif 000015
【図９】
0006767074.tif 000016
【図１０】
0006767074.tif 000017